(57)【要約】【課題】海水温度を適切に測定する。【解決手段】海水温度測定システム１０は、海水Ｗの温度を測定する温度測定部２２と、温度測定部２２に取付けられ、海水Ｗ中を移動可能な移動部２４と、海水Ｗの塩分濃度を海深ごとに測定する塩分濃度測定部１９と、温度測定部２２が位置する海深での塩分濃度測定部１９の塩分濃度の測定結果が、閾値より低い場合に、移動部２４を塩分濃度が閾値以上となる海深まで移動させ、温度測定部２２によって、移動した先の海深での海水Ｗの温度を測定させる制御部２６と、を有する。【選択図】図２
2019132753.tif 000002
【特許請求の範囲】
【請求項１】
海水の温度を測定する温度測定部と、
前記温度測定部に取付けられ、海水中を移動可能な移動部と、
海水の塩分濃度を海深ごとに測定する塩分濃度測定部と、
前記温度測定部が位置する海深での前記塩分濃度測定部の塩分濃度の測定結果が、閾値より低い場合に、前記移動部を塩分濃度が前記閾値以上となる海深まで移動させ、前記温度測定部によって、移動した先の海深での海水の温度を測定させる制御部と、
を有する、海水温度測定システム。
【請求項２】
前記制御部は、前記温度測定部が位置する海深での前記塩分濃度測定部の塩分濃度の測定結果が、前記閾値より低い場合に、前記移動部を海底側に移動させる、請求項１に記載の海水温度測定システム。
【請求項３】
前記移動部及び温度測定部は、海水中に浸漬されて海深方向に延在する筒状の防護管内に設けられ、前記移動部は、前記防護管内を移動する、請求項１又は請求項２に記載の海水温度測定システム。
【請求項４】
前記防護管は、側面に複数の開口が設けられる、請求項３に記載の海水温度測定システム。
【請求項５】
前記塩分濃度測定部は、塩分濃度を測定可能な濃度センサを海深ごとに複数有している、請求項１から請求項４のいずれか１項に記載の海水温度測定システム。
【請求項６】
前記制御部は、それぞれの前記濃度センサの塩分濃度の測定結果を取得することで海深毎の塩分濃度を取得して、各海深のうち、塩分濃度が前記閾値以上になる海深である適正海深に、前記移動部を移動させる、請求項５に記載の海水温度測定システム。
【請求項７】
前記塩分濃度測定部は、前記移動部に取付けられ、前記移動部と共に移動することで、海深ごとの塩分濃度を測定する、請求項１から請求項４のいずれか１項に記載の海水温度測定システム。
【請求項８】
請求項１から請求項７のいずれか１項に記載の海水温度測定システムの測定した海水の温度の測定結果に基づき、冷却用の海水を取り込む、発電設備。
【請求項９】
海水の温度を測定する温度測定部と、前記温度測定部に取付けられ、海水中を移動可能な移動部と、海水の塩分濃度を海深ごとに測定する塩分濃度測定部と、を有する海水温度測定システムの制御方法であって、
前記温度測定部が位置する海深での前記塩分濃度測定部の塩分濃度の測定結果が、閾値より低い場合に、前記移動部を塩分濃度が前記閾値以上となる海深まで移動させ、前記温度測定部によって、移動した先の海深での海水の温度を測定させる、制御方法。
【発明の詳細な説明】
【技術分野】
【０００１】
本発明は、海水温度測定システム、発電設備及び制御方法に関する。
【背景技術】
【０００２】
火力発電所などでは、復水器を冷却するために海から取水しており、冷却に利用された海水は、海に戻される。ここで、海水を冷却に利用する際には、環境保護の観点から、海水の取水温度と放水温度との間の温度差を所定値に収めるように、規制されている。そのため、海水を利用する際には、取水する海水の水面付近の温度を測定して、温度差が所定値に収まっているかを監視している。そして、温度差が所定値以上になりそうな場合は、発電所の出力を抑えて、温度差が大きくなることを抑制している。
【０００３】
ここで、海には、河川の水も流入する。流入した河川の水は、海水の水面付近に滞留する場合があり、また、海水温度より温度が低い場合がある。従って、この場合に水面付近の温度を測定すると、河川の水を測定することとなり、実際の海水の温度より低い温度が検出されるおそれがある。この場合、海水の取水温度と放水温度との間の温度差が、実際の値より大きくなってしまい、発電所の出力を制限する必要が無いのに、出力が制限されてしまうおそれがある。特に、春先や梅雨の時期には、河川からの流入量が増加するため、この傾向が顕著となる。また、干潮時には、海の水面が下がるため、河川の水が相対的に多くなり、この傾向が顕著となる。特許文献１には、防護壁内で海水を循環させつつ海水温度を測定することで、海水の適正な温度を検出する旨が記載されている。
【先行技術文献】
【特許文献】
【０００４】
【特許文献１】特開２０１７−１９４３０４号公報
【発明の概要】
【発明が解決しようとする課題】
【０００５】
しかし、特許文献１の技術では、循環させるための設備が必要となり、設備が大掛かりになる場合がある。そのため、海水温度を適切に測定するためには、改善の余地がある。
【０００６】
本発明は、上記課題を解決するために、海水温度を適切に測定可能な海水温度測定システム、発電設備及び制御方法を提供することを目的とする。
【課題を解決するための手段】
【０００７】
上述した課題を解決し、目的を達成するために、本開示の海水温度測定システムは、海水の温度を測定する温度測定部と、前記温度測定部に取付けられ、海水中を移動可能な移動部と、海水の塩分濃度を海深ごとに測定する塩分濃度測定部と、前記温度測定部が位置する海深での前記塩分濃度測定部の塩分濃度の測定結果が、閾値より低い場合に、前記移動部を塩分濃度が前記閾値以上となる海深まで移動させ、前記温度測定部によって、移動した先の海深での海水の温度を測定させる制御部と、を有する。
【０００８】
前記制御部は、前記温度測定部が位置する海深での前記塩分濃度測定部の塩分濃度の測定結果が、前記閾値より低い場合に、前記移動部を海底側に移動させることが好ましい。
【０００９】
前記移動部及び温度測定部は、海水中に浸漬されて海深方向に延在する筒状の防護管内に設けられ、前記移動部は、前記防護管内を移動することが好ましい。
【００１０】
前記防護管は、側面に複数の開口が設けられることが好ましい。
【００１１】
前記塩分濃度測定部は、塩分濃度を測定可能な濃度センサを海深ごとに複数有していることが好ましい。
【００１２】
前記制御部は、それぞれの前記濃度センサの塩分濃度の測定結果を取得することで海深毎の塩分濃度を取得して、各海深のうち、塩分濃度が前記閾値以上になる海深である適正海深に、前記移動部を移動させることが好ましい。
【００１３】
前記塩分濃度測定部は、前記移動部に取付けられ、前記移動部と共に移動することで、海深ごとの塩分濃度を測定することが好ましい。
【００１４】
上述した課題を解決し、目的を達成するために、本開示の発電設備は、前記海水温度測定システムの測定した海水の温度の測定結果に基づき、冷却用の海水を取り込む。
【００１５】
上述した課題を解決し、目的を達成するために、本開示の制御方法は、海水の温度を測定する温度測定部と、前記温度測定部に取付けられ、海水中を移動可能な移動部と、海水の塩分濃度を海深ごとに測定する塩分濃度測定部と、を有する海水温度測定システムの制御方法であって、前記温度測定部が位置する海深での前記塩分濃度測定部の塩分濃度の測定結果が、閾値より低い場合に、前記移動部を塩分濃度が前記閾値以上となる海深まで移動させ、前記温度測定部によって、移動した先の海深での海水の温度を測定させる。
【発明の効果】
【００１６】
本発明によれば、海水温度を適切に測定することができる。
【図面の簡単な説明】
【００１７】
【図１】図１は、第１実施形態に係る発電設備の模式図である。
【図２】図２は、第１実施形態に係る海水温度測定システムの模式図である。
【図３】図３は、第１実施形態に係る制御部のブロック図である。
【図４】図４は、第１実施形態に係る制御部の制御内容のフローを説明するフローチャートである。
【図５】図５は、海水温度測定システムによる海水の温度測定を説明する図である。
【図６】図６は、第２実施形態に係る海水温度測定システムの模式図である。
【図７】図７は、第２実施形態に係る制御部の制御内容のフローを説明するフローチャートである。
【発明を実施するための形態】
【００１８】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１９】
（第１実施形態）
最初に、第１実施形態について説明する。図１は、第１実施形態に係る発電設備の模式図である。図１は、第１実施形態に係る発電設備１００を鉛直方向上方から見た図である。図１に示すように、発電設備１００は、発電システム１と、海水温度測定システム１０とを有する。発電設備１００は、本実施形態では火力発電所であり、発電システム１は、火力発電を行う設備である。図１に示すように、発電システム１は、陸地Ｌ上であって、海Ｓの近傍に配設されている。発電設備１００は、本実施形態では火力発電所であり、発電システム１は、火力発電を行う設備である。発電システム１は、取水口１Ａと放水口１Ｂとが設けられている。取水口１Ａは、海Ｓと発電システム１とに接続されており、海Ｓから取水した海水Ｗを、発電システム１に供給する。発電システム１は、取水口１Ａから取水された海水Ｗを、図示しない復水器の冷却水として利用する。放水口１Ｂは、海Ｓと発電システム１とに接続されており、復水器の冷却に使用された後の海水Ｗを、発電システム１から海Ｓに放出する。
【００２０】
ここで、取水口１Ａにより海Ｓから取水される海水Ｗの温度を、取水温度とし、放水口１Ｂにより海Ｓに放出される海水Ｗの温度を、放水温度とする。この場合、発電システム１は、放水温度と取水温度との温度差が所定値以下となるように運転される。発電システム１は、例えば、放水温度と取水温度との温度差が、１日平均で７℃以下となり、瞬時において最大でも１０℃以下となるように、運転されている。
【００２１】
このように、発電システム１は、温度差が所定値以下となるように運転が制御されている。従って、取水温度が誤検出された場合、温度差を適切に検出することができなくなり、発電システム１の適切な運転ができなくなる。本実施形態においては、海水温度測定システム１０により取水温度を検出することで、取水温度の誤検出を抑制している。
【００２２】
図１に示すように、海水温度測定システム１０は、海Ｓであって取水口１Ａの近傍に設けられて、海水Ｗの温度を測定している。海水温度測定システム１０は、このように取水口１Ａの近傍に設けられることで、取水温度を適切に検出することができる。ただし、海水温度測定システム１０は、海水Ｗの温度を測定するものであればよく、必ずしも発電システム１用の取水温度を測定するものでなくよい。また、海水温度測定システム１０は、取水口１Ａの近傍に設けられなくてもよい。以下、海水温度測定システム１０について詳細に説明する。
【００２３】
図２は、第１実施形態に係る海水温度測定システムの模式図である。図２に示すように、海水温度測定システム１０は、海Ｓと陸地Ｌとにわたって設けられている。以下、鉛直方向の上方に向かう方向（海底から離れる方向）を、方向Ｚ１とする。方向Ｚ１は、海Ｓの海深が浅くなる側の方向であるといえる。また、方向Ｚ１と反対方向、すなわち鉛直方向の下方に向かう方向（海底に向かう方向）を、方向Ｚ２とする。方向Ｚ２は、海Ｓの海深が深くなる方向であるといえる。また、方向Ｚ１と方向Ｚ２との両方に沿った方向を、方向Ｚとする。言い換えれば、方向Ｚは、鉛直方向に沿った方向であり、海Ｓの海深に沿った方向である。
【００２４】
図２に示すように、海水温度測定システム１０は、足場１２と、安全柵１４と、防護管１６（風波防護壁）と、測定ユニット１８と、塩分濃度測定部１９と、を有する。足場１２は、陸地Ｌから海Ｓに向かって張り出すように設けられる板状部材である。安全柵１４は、足場１２上に設けられて足場１２を囲う柵である。
【００２５】
防護管１６は、方向Ｚに沿って延在する筒状の部材であり、位置が固定されている。防護管１６は、方向Ｚ１側の端部１６Ａが、足場１２の海Ｓに張り出している箇所に取付けられる。防護管１６は、端部１６Ａから、方向Ｚ２側の端部１６Ｂまで、方向Ｚ２に向けて延在している。防護管１６は、端部１６Ａと端部１６Ｂとの間の箇所から、端部１６Ｂまでが、海水Ｗに浸漬されている。防護管１６は、水面ＷＡから端部１６Ｂまでの方向Ｚに沿った長さが、例えば、０．３ｍ以上７．０ｍ以下であり、１ｍ以上７．０ｍ以下であることが好ましいが、この長さは任意であってよい。なお、測定ユニット１８は、水面ＷＡから端部１６Ｂまでを移動するため、防護管１６の水面ＷＡから端部１６Ｂまでの方向Ｚに沿った長さは、測定ユニット１８が移動可能な最大距離であるともいえる。
【００２６】
防護管１６は、筒状部材であり、内部の空間１６Ｃが、方向Ｚに沿って延在して、開口する端部１６Ｂと連通している。従って、空間１６Ｃには、端部１６Ｂから海水Ｗが流入する。また、防護管１６は、側面に開口１６Ｄが設けられている。開口１６Ｄは、方向Ｚに沿って複数設けられている。開口１６Ｄは、防護管１６の外周と内周とを連通しており、言い換えれば、空間１６Ｃを、防護管１６の外部と連通している。従って、空間１６Ｃには、開口１６Ｄからも、海水Ｗが流入する。このように、防護管１６は、内部の空間１６Ｃに海水Ｗが流入する。従って、海水Ｗの水面ＷＡの位置は、防護管１６の内部と外部とで一致している。
【００２７】
測定ユニット１８は、防護管１６の内部の空間１６Ｃに位置しており、空間１６Ｃ内において、海水Ｗ中を方向Ｚに沿って移動しつつ、海水Ｗの温度を測定する。測定ユニット１８は、海水温度測定システム１０の他の構成に対し有線などで物理的に接続されていないが、例えば有線で足場１２等に接続されていてもよい。また、測定ユニット１８は、防護管１６の外部の海水Ｗ中に配置されてもよい。
【００２８】
測定ユニット１８は、温度測定部２２と、移動部２４と、制御部２６とを有する。温度測定部２２は、海水Ｗの温度を測定可能な温度計（温度センサ）である。
【００２９】
移動部２４は、温度測定部２２及び制御部２６に取付けられており、温度測定部２２及び制御部２６と一体となっている。移動部２４は、海水Ｗ中を方向Ｚに沿って移動可能な機構である。本実施形態では、移動部２４は、制御部２６の制御により浮力を調整可能なフロート（浮体）である。移動部２４は、浮力を大きくすることで、海水Ｗ中で方向Ｚ１側に移動し、浮力を小さくすることで、海水Ｗ中で方向Ｚ２側に移動する。例えば、移動部２４は、図示しない浮体と弁とを有し、制御部２６によって弁を開閉されることで、浮体内に注入する海水Ｗの量を制御して、浮力を調整する。この場合、浮体内に注入する海水の量が多いと浮力が小さくなり、海水の量が少ないと浮力が大きくなる。ただし、浮力の調整機構は、この例に限られない。さらに言えば、移動部２４は、海水Ｗ内を方向Ｚに沿って移動可能な機構であればよく、移動するための方式は任意である。
【００３０】
制御部２６は、例えばコンピュータであり、演算装置、すなわちＣＰＵ（Ｃｅｎｔｒａｌ  Ｐｒｏｃｅｓｓｉｎｇ  Ｕｎｉｔ）を有する。制御部２６は、温度測定部２２と、移動部２４と、塩分濃度測定部１９とを制御する。制御部２６の制御内容については後述する。なお、制御部２６は、測定ユニット１８に取付けられていなくてもよく、例えば発電システム１や足場１２に配置されるなど、測定ユニット１８と別体として設けられてもよい。この場合、制御部２６は、無線通信により、温度測定部２２と移動部２４とを制御する。
【００３１】
塩分濃度測定部１９は、海水Ｗの塩分濃度を海深ごとに測定する。塩分濃度測定部１９は、基部３０と、複数の濃度センサ３２を有する。基部３０は、方向Ｚに沿って延在する軸状の部材であり、位置が固定されている。基部３０は、方向Ｚ１側の端部３０Ａが、足場１２の海Ｓに張り出している箇所に取付けられる。基部３０は、端部３０Ａから、方向Ｚ２側の端部３０Ｂまで、方向Ｚ２に沿って延在している。基部３０は、端部３０Ａと端部３０Ｂとの間の箇所から、端部３０Ｂまでが、海水Ｗに浸漬されている。基部３０は、防護管１６の外部に設けられているが、防護管１６の内部の空間１６Ｃ内に設けられてもよい。また、基部３０の端部３０Ｂは、防護管１６の端部１６Ｂに対し、方向Ｚにおいて略同一の位置にあるが、端部３０Ｂの位置はそれに限られない。
【００３２】
濃度センサ３２は、海水Ｗの塩分濃度を測定するセンサであり、例えば、海水Ｗの電気伝導度に基づき、海水Ｗの塩分濃度を測定する。濃度センサ３２は、基部３０に取付けられている。濃度センサ３２は、方向Ｚに沿って、基部３０に複数設けられている。すなわち、濃度センサ３２は、方向Ｚに所定の距離を置きつつ、方向Ｚに沿って配列している。このように、それぞれの濃度センサ３２は、方向Ｚにおける位置が、互いに異なっている。
【００３３】
このように、塩分濃度測定部１９は、濃度センサ３２を、海深ごとに複数有しているといえ、それぞれの濃度センサ３２に海水Ｗの塩分濃度を測定させることで、海水Ｗの海深ごとの塩分濃度を測定可能である。なお、濃度センサ３２は、水面ＷＡの位置から、基部３０の端部３０Ｂまで分布している。言い換えれば、濃度センサ３２は、少なくとも、測定ユニット１８が移動可能な最も方向Ｚ１側の位置（水面ＷＡ）から、測定ユニット１８が移動可能な最も方向Ｚ２側の位置（ここでは防護管１６の端部１６Ｂ）まで、分布している。従って、塩分濃度測定部１９は、測定ユニット１８が移動可能な各海深における海水Ｗの塩分濃度を測定できる。
【００３４】
次に、制御部２６の制御内容について説明する。図３は、第１実施形態に係る制御部のブロック図である。図３に示すように、制御部２６は、移動制御部４０と、濃度測定制御部４２と、判定部４４と、温度測定制御部４６とを有する。移動制御部４０と、濃度測定制御部４２と、判定部４４と、温度測定制御部４６とは、制御部２６の図示しない記憶部（メモリ）に記憶されたソフトウェア（プログラム）であるが、それぞれ専用のハードウェアによって実現されてもよい。
【００３５】
移動制御部４０は、移動部２４の浮力を調整することで、測定ユニット１８の方向Ｚに沿った移動を制御する。移動制御部４０は、移動部２４の浮力を減少させて、測定ユニット１８を方向Ｚ１側に移動させる。また、移動制御部４０は、移動部２４の浮力を増加させて、測定ユニット１８を方向Ｚ２側に移動させる。また、移動制御部４０は、測定ユニット１８を現在の位置に留まらせたい場合は、移動部２４の浮力をそのままにする。
【００３６】
濃度測定制御部４２は、塩分濃度測定部１９による海水Ｗの塩分濃度の測定を制御する。濃度測定制御部４２は、塩分濃度測定部１９のそれぞれの濃度センサ３２に、海水Ｗの塩分濃度を測定する旨の指示を出すことで、塩分濃度測定部１９に、海深ごとの海水Ｗの塩分濃度を測定させる。濃度測定制御部４２は、それぞれの濃度センサ３２の測定結果を、海水Ｗの海深毎の塩分濃度の測定結果として取得する。濃度測定制御部４２は、例えば無線通信により、濃度センサ３２に指示を出して測定結果を取得する。
【００３７】
ここで、濃度センサ３２は、方向Ｚにおける測定ユニット１８が移動可能な位置に分布している。そのため、濃度センサ３２のうちの１つは、測定ユニット１８（温度測定部２２）が現在位置している海深にあることとなる。濃度測定制御部４２は、その濃度センサ３２の測定結果を取得することで、測定ユニット１８が現在位置している海深の海水Ｗの塩分濃度を取得できる。
【００３８】
判定部４４は、測定ユニット１８が現在位置している海深の海水Ｗの塩分濃度の測定結果が、予め定めた閾値より低いかを判定する。ここでの閾値は、任意に設定可能であるが、海水の一般的な塩分濃度の値であり、例えば、３．１％以上３．８％以下程度である。
【００３９】
判定部４４が判定を行ったら、移動制御部４０は、判定部４４の判定結果に基づき、測定ユニット１８の位置を制御する。移動制御部４０は、測定ユニット１８が現在位置している海深の海水Ｗの塩分濃度が、閾値以上である場合、測定ユニット１８を現在の海深に留まらせる。そして、温度測定制御部４６は、温度測定部２２に、現在の海深（留まった位置の海深）における海水Ｗの温度を測定させる。
【００４０】
一方、移動制御部４０は、測定ユニット１８が現在位置している海深の塩分濃度が、閾値より低い場合、測定ユニット１８を、現在の海深から、海水Ｗの塩分濃度が閾値以上となる海深まで移動させる。より詳しくは、移動制御部４０は、測定ユニット１８が現在位置している海深の塩分濃度が、閾値より低い場合、測定ユニット１８を方向Ｚ２側（海底側）に移動させて、海水Ｗの塩分濃度が閾値以上となる海深まで到達させる。そして、温度測定制御部４６は、測定ユニット１８が移動した後に、温度測定部２２に海水Ｗの温度を測定させる。言い換えれば、温度測定制御部４６は、温度測定部２２に、移動した先の海深、すなわち塩分濃度が閾値以上となる海深における、海水Ｗの温度を測定させる。
【００４１】
さらに言えば、判定部４４は、各海深における海水Ｗの塩分濃度を閾値と比較する。そして、判定部４４は、各海深のうち、塩分濃度の測定結果が閾値以上となる海深を、適正海深として抽出する。移動制御部４０は、現在の海深の海水Ｗの塩分濃度が閾値より低い場合、すなわち現在の海深が適正海深でない場合、測定ユニット１８を、現在の位置から適正海深まで移動させる。そして、温度測定制御部４６は、温度測定部２２に、移動した先の適正海深、すなわち塩分濃度が閾値以上となる海深における、海水Ｗの温度を測定させる。なお、適正海深が複数ある場合、すなわち複数の海深で塩分濃度が閾値以上である場合、移動制御部４０は、適正海深のうち、最も方向Ｚ１側の海深に測定ユニット１８を移動させることが好ましい。
【００４２】
温度測定制御部４６は、温度測定部２２が測定した適正海深（塩分濃度が閾値以上となる海深）における海水Ｗの温度の測定結果を取得し、取得した温度測定結果を、取水温度として発電システム１に伝達する。また、発電システム１は、図１に示す発電システム１内に設けられた温度センサ１Ｃにより、復水器を冷却した後であって海Ｓに放出する前の海水Ｗの温度を測定して、その測定結果を放水温度として取得する。発電システム１は、温度測定制御部４６から伝達された取水温度と、温度センサ１Ｃが測定した放水温度とに基づき、取水温度と放水温度との温度差が所定値以内となるように、冷却用の海水Ｗを取水口１Ａから取り込む。そして、発電システム１は、取り込んだ海水Ｗで復水器を冷却しながら、運転（発電）を行う。
【００４３】
なお、移動制御部４０は、通常時においては、測定ユニット１８を、基準海深に留まらせている。基準海深は、予め定められた海深であり、温度測定部２２が方向Ｚにおいて水面ＷＡ付近に位置する海深である。基準海深は、例えば、温度測定部２２が水面ＷＡから方向Ｚ２側に３０ｃｍ離れた位置となる海深である。移動制御部４０は、基準海深における海水Ｗの塩分濃度が閾値より低い場合に、測定ユニット１８を、基準海深から適正海深に移動させる。
【００４４】
以上説明した制御部２６の制御内容のフローを、フローチャートに基づき説明する。図４は、第１実施形態に係る制御部の制御内容のフローを説明するフローチャートである。図４に示すように、制御部２６は、濃度測定制御部４２により、塩分濃度測定部１９（濃度センサ３２）が測定した、各海深における海水Ｗの海水の塩分濃度の測定結果を取得する（ステップＳ１０）。その後、制御部２６は、判定部４４により、現在の温度測定部２２（測定ユニット１８）が位置している海深での海水Ｗの塩分濃度が、閾値より低いかを判定する（ステップＳ１２）。制御部２６は、現在の海深での塩分濃度が閾値より低くない場合（ステップＳ１２；Ｎｏ）、すなわち閾値以上である場合、温度測定制御部４６により、現在の温度測定部２２が位置している海深において、温度測定部２２に海水Ｗの温度を測定させる（ステップＳ１４）。
【００４５】
一方、現在の温度測定部２２が位置している海深での海水Ｗの塩分濃度が、閾値より低い場合（ステップＳ１２；Ｙｅｓ）、制御部２６は、移動制御部４０により、測定ユニット１８を、適正海深、すなわち海水Ｗの塩分濃度が所定値以上となる海深まで、移動させる（ステップＳ１６）。測定ユニット１８が適正海深まで到達したら、制御部２６は、温度測定制御部４６により、移動した先の適正海深において、温度測定部２２に海水Ｗの温度を測定させる（ステップＳ１８）。適正海深において海水Ｗの温度を測定させたら、温度測定制御部４６は、その海深における海水Ｗの温度の測定結果を、取水温度として、発電システム１に出力する（ステップＳ１９）。発電システム１は、その取水温度と、温度センサ１Ｃが測定した放水温度とに基づき、取水温度と放水温度との温度差が所定値以内となるように、海水Ｗを取水口１Ａから取り込んで、発電及び復水器の冷却を行う。なお、ステップＳ１４において、現在の温度測定部２２が位置している海深での海水Ｗの温度を測定した場合にも、ステップＳ１９に移動し、温度測定制御部４６は、その位置での海水Ｗの温度の測定結果を、取水温度として発電システム１に出力する。
【００４６】
ステップＳ１９で海水Ｗの温度の測定結果を出力した後、制御部２６は、海水Ｗの温度測定を終了するかを判断して（ステップＳ２０）、終了しない場合（ステップＳ２０；Ｎｏ）、ステップＳ１０に戻り、次のタイミングにおいて、現在の位置（移動した場合は移動後の位置）における塩分濃度の測定を行い、その後の処理を続ける。制御部２６は、温度測定を終了する場合（ステップＳ２０；Ｙｅｓ）、本処理を終了する。
【００４７】
ここで、海Ｓには、海水Ｗより温度の低い河川の水Ｗ１も流入し、海水Ｗの水面ＷＡ付近に滞留する場合がある。この場合に水面ＷＡ付近の温度を測定すると、海水Ｗより低温の河川の水Ｗ１を測定することとなり、海水Ｗの適正な温度を検出できなくなるおそれがある。それに対し、本実施形態に係る海水温度測定システム１０は、温度測定部２２を有する測定ユニット１８を、移動部２４により移動可能としている。そして、海水温度測定システム１０は、測定ユニット１８の現在の海深における塩分濃度の測定結果が閾値より低い場合に、塩分濃度が閾値以上となる適正海深まで測定ユニット１８を移動させる。そして、海水温度測定システム１０は、温度測定部２２に、適正海深における海水Ｗの温度を測定させる。これにより、海水温度測定システム１０は、海水Ｗの温度を適切に測定できる。以下、具体的に説明する。
【００４８】
図５は、海水温度測定システムによる海水の温度測定を説明する図である。ここで、河川の水Ｗ１は、海水Ｗより塩分濃度が低い。海水温度測定システム１０は、塩分濃度に基づき、測定ユニット１８が河川の水Ｗ１が滞留する海深にいるか、海水Ｗが滞留する海深にいるかを判断する。海水温度測定システム１０は、その判断結果に基づき、必要に応じて測定ユニット１８を移動させて、海水Ｗが滞留する海深での海水Ｗの温度を測定させる。すなわち、図５の左側に示すように、海水温度測定システム１０は、測定ユニット１８の現在の海深における塩分濃度が閾値以上である場合、測定ユニット１８をその海深に留まらせて、その海深での海水Ｗの温度測定を行う。この場合、現在の海深における塩分濃度が閾値以上であるため、海水温度測定システム１０は、現在の海深には河川の水Ｗ１でなく海水Ｗが滞留していると判断して、現在の海深での海水Ｗの温度を、取水温度として測定する。一方、図５の右側に示すように、海水温度測定システム１０は、測定ユニット１８の現在の海深における塩分濃度が閾値より低い場合、その海深には河川の水Ｗ１が滞留していると判断して、測定ユニット１８を、方向Ｚ２に向かって、塩分濃度が閾値以上である海深まで移動させる。そして、海水温度測定システム１０は、塩分濃度が閾値以上である海深には海水Ｗが滞留していると判断して、その海深での海水Ｗの温度を、取水温度として取得する。
【００４９】
以上説明したように、本実施形態に係る海水温度測定システム１０は、塩分濃度測定部１９と、温度測定部２２と、移動部２４と、制御部２６とを有する。塩分濃度測定部１９は、海水Ｗの塩分濃度を海深ごとに測定する。温度測定部２２は、海水Ｗの温度を測定する。移動部２４は、温度測定部２２に取付けられ、海水Ｗ中を移動可能である。制御部２６は、温度測定部２２が位置する海深での、塩分濃度測定部１９の塩分濃度の測定結果が、閾値より低い場合に、移動部２４を塩分濃度が閾値以上となる海深まで移動させる。そして、制御部２６は、温度測定部２２によって、移動した先の海深（塩分濃度が閾値以上となる海深）での海水Ｗの温度を測定させる。
【００５０】
本実施形態における海水温度測定システム１０は、塩分濃度の測定結果が閾値より低い場合に、移動部２４を塩分濃度が閾値以上となる海深まで移動させて、移動先における海水Ｗの温度を測定する。従って、この海水温度測定システム１０によると、塩分濃度が閾値以上となる海深に移動するため、河川の水Ｗ１が流入している場合でも、確実に海水Ｗの温度を測定することができる。
【００５１】
また、制御部２６は、温度測定部２２が位置する海深での塩分濃度測定部１９の塩分濃度の測定結果が、閾値より低い場合に、移動部２４を海底側（方向Ｚ２側）に移動させる。河川の水Ｗ１は、発電設備１００が設けられる河口付近において、海Ｓに流入して、水面ＷＡ近傍に滞留する。それに対し、本実施形態に係る制御部２６は、移動部２４を海底側（方向Ｚ２側）に移動させることで、河川の水Ｗ１が滞留しない側へ移動部２４を移動させることで、移動部２４を、海水Ｗが滞留する海深まで適切に到達させることができる。従って、この海水温度測定システム１０によると、海水Ｗの温度を適切に計測することができる。
【００５２】
また、移動部２４及び温度測定部２２は、防護管１６内に設けられ、移動部２４は、防護管１６内を移動する。防護管１６は、海水Ｗ中に浸漬されて、海深方向（方向Ｚ）に延在する筒状の部材である。移動部２４及び温度測定部２２は、防護管１６内に配置されることで、風や波によって不適切な位置まで流されることなく、適切な位置で温度測定を行うことができる。
【００５３】
また、防護管１６は、側面に複数の開口１６Ｄが設けられる。防護管１６は、側面に複数の開口１６Ｄが設けられることで、各海深の海水Ｗを内部に取り込むことができる。温度測定部２２は、そのような防護管１６内で温度測定を行うことで、海水Ｗの温度を適切に計測することができる。
【００５４】
また、塩分濃度測定部１９は、塩分濃度を測定可能な濃度センサ３２を、海深ごとに複数有している。そのため、海水温度測定システム１０は、海深ごとの塩分濃度を適切に測定することができ、温度測定部２２を適切に海水Ｗが滞留する海深まで到達させることができる。
【００５５】
また、制御部２６は、それぞれの濃度センサ３２の塩分濃度の測定結果を取得することで、海深毎の塩分濃度を取得する。制御部２６は、各海深のうち、塩分濃度が閾値以上になる海深である適正海深に、移動部２４を移動させる。この海水温度測定システム１０は、各海深の塩分濃度を一度に取得して、塩分濃度が閾値以上になる適正海深を検出することができる。従って、この海水温度測定システム１０によると、温度測定部２２をより適切に海水Ｗが滞留する海深まで到達させることができる。
【００５６】
また、本実施形態に係る発電設備１００は、海水温度測定システム１０の測定した海水Ｗの温度の計測結果に基づき、冷却用の海水Ｗを取り込む。この発電設備１００は、海水温度測定システム１０の測定した海水Ｗの温度の計測結果を取水温度として海水Ｗを取り込むため、取水温度と放水温度との温度差を適切に把握することで、発電を適切に行うことができる。
【００５７】
（第２実施形態）
次に、第２実施形態について説明する。第１実施形態においては、塩分濃度測定部１９は、測定ユニット１８と別体であり、海深ごとに複数の濃度センサ３２が設けられていた。一方、第２実施形態に係る塩分濃度測定部１９ａは、測定ユニット１８ａと一体であり、１つの濃度センサ３２のみを有している点で、第１実施形態とは異なる。第２実施形態において第１実施形態と構成が共通する箇所は、説明を省略する。
【００５８】
図６は、第２実施形態に係る海水温度測定システムの模式図である。図６に示すように、第２実施形態に係る海水温度測定システム１０ａが有する測定ユニット１８ａは、温度測定部２２、移動部２４、制御部２６に加え、塩分濃度測定部１９ａも有している。すなわち、塩分濃度測定部１９ａは、移動部２４に取付けられ、温度測定部２２、移動部２４、制御部２６と一体になっている。
【００５９】
塩分濃度測定部１９ａは、１つの濃度センサのみを有しており、自身が位置している海深での塩分濃度を測定する。塩分濃度測定部１９ａは、温度測定部２２と一体であるため、温度測定部２２が位置している海深の海水Ｗの塩分濃度を計測しているといえる。また、塩分濃度測定部１９ａは、移動部２４と共に移動することで、海深ごとの塩分濃度を測定する。
【００６０】
次に、第２実施形態に係る制御部２６の制御フローを説明する。図７は、第２実施形態に係る制御部の制御内容のフローを説明するフローチャートである。制御部２６は、濃度測定制御部４２により、塩分濃度測定部１９ａに、温度測定部２２（測定ユニット１８ａ）が現在位置している海深での海水Ｗの塩分濃度を測定させて、温度測定部２２が現在位置している海深での海水Ｗの塩分濃度の測定結果を取得する（ステップＳ３０）。そして、制御部２６は、判定部４４により、温度測定部２２が現在位置している海深での海水Ｗの塩分濃度が、閾値より低いかを判定する（ステップＳ３２）。
【００６１】
制御部２６は、現在の海深での海水Ｗの塩分濃度が閾値より低いと判定した場合（ステップＳ３２；Ｙｅｓ）、移動制御部４０により、測定ユニット１８ａを、海底側（方向Ｚ２側）まで移動させる。移動制御部４０は、測定ユニット１８ａを、予め定められた所定の距離だけ、海底側に移動させる。そして、制御部２６は、測定ユニット１８ａを海底側に移動させたら、ステップＳ３０に戻り、移動した先の海深における海水Ｗの塩分濃度の測定結果を取得し、その海深における塩分濃度が閾値より低いかを再度判定する。制御部２６は、塩分濃度が閾値以上となる海深に到達するまで、これを繰り返す。従って、制御部２６は、測定ユニット１８ａを、塩分濃度が閾値以上となる海深まで移動させるといえる。
【００６２】
制御部２６は、現在の海深での海水Ｗの塩分濃度が閾値より低くないと判定した場合（ステップＳ３２；Ｎｏ）、すなわち塩分濃度が閾値以上であると判定した場合、現在の温度測定部２２（測定ユニット１８ａ）が位置している海深において、温度測定部２２に海水Ｗの温度を測定させる（ステップＳ３６）。
【００６３】
塩分濃度が閾値以上である現在の海深で海水Ｗの温度を測定させたら、温度測定制御部４６は、その海深における海水Ｗの温度の測定結果を、取水温度として、発電システム１に出力する（ステップＳ３７）。その後、制御部２６は、海水Ｗの温度測定を終了するかを判断して（ステップＳ３８）、終了しない場合（ステップＳ３８；Ｎｏ）、ステップＳ３０に戻り、次のタイミングにおいて、現在の位置（移動した場合は移動後の位置）における塩分濃度の測定を行い、その後の処理を続ける。制御部２６は、温度測定を終了する場合（ステップＳ３８；Ｙｅｓ）、本処理を終了する。なお、制御部２６は、測定ユニット１８ａを海深側に移動させて海水Ｗの温度を測定した後、さらに所定の時間が経過した後に、測定ユニット１８ａを、海面ＷＡ側（方向Ｚ１側）に移動させてもよい。
【００６４】
以上説明したように、第２実施形態に係る塩分濃度測定部１９ａは、移動部２４に取付けられ、移動部２４と共に移動することで、海深ごとの塩分濃度を測定する。従って、第２実施形態に係る海水温度測定システム１０ａによっても、移動部２４を塩分濃度が閾値以上となる海深まで移動させて、その海深での海水Ｗの温度を測定させることが可能となり、海水Ｗの温度を適切に測定することができる。また、塩分濃度測定部１９ａを移動部２４と一体とすることで、現在の温度測定部２２の位置の塩分濃度を常に計測することができるため、水深毎に複数の濃度センサ３２を設ける必要がなくなる。
【００６５】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００６６】
１  発電システム
１０  海水温度測定システム
１６  防護管
１８  測定ユニット
１９  塩分濃度測定部
２２  温度測定部
２４  移動部
２６  制御部
３２  濃度センサ
４０  移動制御部
４２  濃度測定制御部
４４  判定部
４６  温度測定制御部
１００  発電設備
Ｗ  海水
【図１】
2019132753.tif 000003
【図２】
2019132753.tif 000004
【図３】
2019132753.tif 000005
【図４】
2019132753.tif 000006
【図５】
2019132753.tif 000007
【図６】
2019132753.tif 000008
【図７】
2019132753.tif 000009